(57)【要約】      （修正有）【課題】端子部の導通接続の作業を容易にする。【解決手段】操作部からはアース束線３０が導出され、アース束線３０の先端に端子部３１が設けられる。本体１０の凹部に突設された中空部には、第１の溝部１６と第２の溝部１３とが形成されている。第１の溝部１６は、中空部の軸心Ｃ方向に略平行に形成され、第２の溝部１３は、第１の溝部１６の上端に連接し、第１の溝部１６と交差する方向、特に軸心を中心とする略周方向に斜めに形成される。端子部３１の板状部３３を、第２の溝部１３を通して中空部内に収めると共に、端子部３１の首部３２を第１の溝部１６に位置させることで、板状部３３が中空部内でコイルバネ１９の線間に介在する仮固定状態となる。【選択図】図６
2018170209.tif 000002
【特許請求の範囲】
【請求項１】
第１のユニットから導出される束線の先端に設けられ、首部及び該首部に連接する板状部から成る導電性の端子部と、
第２のユニットに設けられた中空部と、
一端部が前記第２のユニットの導通部に接触し、前記中空部内に配設された導電性のコイルバネと、を有し、
前記中空部は、前記中空部の外側から内側まで貫通する溝部として、前記中空部の軸心方向に略平行な第１の溝部と、前記第１の溝部に連接し前記第１の溝部と交差する方向に形成された第２の溝部とを有し、
側面視で、前記中空部の前記第２の溝部は前記コイルバネの線と平行でなく、
前記端子部の前記板状部を、前記第２の溝部を通して前記中空部内に収めると共に、前記端子部の前記首部を前記第１の溝部に位置させることで、前記板状部が前記中空部内で前記コイルバネの線間に介在する仮固定状態となることを特徴とする端子固定構造。
【請求項２】
前記軸心を中心とする周方向に関して、前記軸心に垂直な仮想面に対する前記第２の溝部の傾斜角度の最大値は、自由状態における前記コイルバネのピッチ角よりも大きいことを特徴とする請求項１に記載の端子固定構造。
【請求項３】
前記第１の溝部は、前記第２の溝部との連接部から、前記軸心方向における前記コイルバネの前記一端部がある側に延設され、
前記一端部は前記第２のユニットに固定され、
前記軸心に直交する方向における前記第２の溝部の前記中空部の外側位置よりも内側位置の方が、前記軸心方向において前記一端部から遠いことを特徴とする請求項１または２に記載の端子固定構造。
【請求項４】
前記中空部は略円柱形であり、
前記首部を除く前記板状部の外形形状は略円形であり、その外径は、前記コイルバネの内径より大きく且つ前記中空部の内径より小さいことを特徴とする請求項１〜３のいずれか１項に記載の端子固定構造。
【請求項５】
前記仮固定状態において、前記コイルバネの他端部は前記中空部から突出し、
前記第１のユニットと前記第２のユニットとを組み付けると、前記コイルバネの前記他端部が前記第１のユニットに押さえられることで前記コイルバネが圧縮され、前記板状部は前記軸心方向において前記一端部に近づく方向へ変位することを特徴とする請求項１〜４のいずれか１項に記載の端子固定構造。
【請求項６】
自由状態における前記コイルバネの線間の間隔に比し、前記板状部の厚みは厚いことを特徴とする請求項１〜５のいずれか１項に記載の端子固定構造。
【請求項７】
前記端子部はアース用であることを特徴とする請求項１〜６のいずれか１項に記載の端子固定構造。
【請求項８】
請求項１〜７のいずれか１項に記載の端子固定構造を有する画像形成装置であって、
前記第２のユニットは前記画像形成装置の本体であることを特徴とする画像形成装置。
【請求項９】
前記第１のユニットは操作部ユニットであることを特徴とする請求項８に記載の画像形成装置。
【発明の詳細な説明】
【技術分野】
【０００１】
本発明は、アース端子等の端子部を導通可能に固定する技術に関する。
【背景技術】
【０００２】
従来、ユニット同士を組み付ける際に、アース接続することが行われる。例えば、複写機、プリンタ等の画像形成装置の組み立てにおいて、作業者は、装置本体へユニット部品を固定する前段階で、先端にアース端子を設けたアース束線をユニット部品から引き出し、アース端子を装置本体の電気導通部に固定する。作業者は通常、アース端子を装置本体の電気導通部に位置させた状態で、ビスでアース端子を固定する必要があるので、ユニットを片手で保持しながらアース端子を固定するのが困難である。そのため、組み付けるユニットを一時的に近くに載置するのが通常である。ユニットを置ける場所が近傍にない場合は、アース束線を長くすればよいが、アース束線が長過ぎると固定後のアース束線の装置内での処理が難しくなり、ユニット組み込み後に装置とユニットに挟まれてアース束線が損傷するおそれがある。
【０００３】
ところで、アース端子を２分割して構成し、一方の端子を先にビスで固定した後に、一方の端子に対して他方の端子を差し込むことでアース接続できるようにした端子固定構造も知られている（特許文献１）。
【先行技術文献】
【特許文献】
【０００４】
【特許文献１】特開２００４−２０６９６５号公報
【発明の概要】
【発明が解決しようとする課題】
【０００５】
しかしながら、特許文献１の技術によると、アース端子の構成が特殊となり構成が簡単でない。一般的なアース端子であっても片手で簡単に固定できるような構造が求められている。
【０００６】
本発明は、端子部の導通接続の作業を容易にすることを目的とする。
【課題を解決するための手段】
【０００７】
上記目的を達成するために本発明は、第１のユニットから導出される束線の先端に設けられ、首部及び該首部に連接する板状部から成る導電性の端子部と、第２のユニットに設けられた中空部と、一端部が前記第２のユニットの導通部に接触し、前記中空部内に配設された導電性のコイルバネと、を有し、前記中空部は、前記中空部の外側から内側まで貫通する溝部として、前記中空部の軸心方向に略平行な第１の溝部と、前記第１の溝部に連接し前記第１の溝部と交差する方向に形成された第２の溝部とを有し、側面視で、前記中空部の前記第２の溝部は前記コイルバネの線と平行でなく、前記端子部の前記板状部を、前記第２の溝部を通して前記中空部内に収めると共に、前記端子部の前記首部を前記第１の溝部に位置させることで、前記板状部が前記中空部内で前記コイルバネの線間に介在する仮固定状態となることを特徴とする。
【発明の効果】
【０００８】
本発明によれば、端子部の導通接続の作業を容易にすることができる。
【図面の簡単な説明】
【０００９】
【図１】画像形成装置の斜視図である。
【図２】画像形成装置の概略構成を示す縦断面図である。
【図３】本体に操作部を組み付ける途中の状態の斜視図である。
【図４】電気導通部の斜視図である。
【図５】電気導通部の上面図（図（ａ））、中空部の側面図（図（ｂ））、断面図（図（ｂ））である。
【図６】電気導通部に端子部を仮固定する様子を示す斜視図である。
【図７】電気導通部に端子部を仮固定する様子を示す斜視図である。
【図８】仮固定状態の電気導通部の縦断面図である。
【図９】本固定状態の電気導通部の縦断面図である。
【図１０】従来の画像形成装置における端子固定構造を示す図である。
【発明を実施するための形態】
【００１０】
以下、図面を参照して本発明の実施の形態を説明する。
【００１１】
図１は、本発明の一実施の形態に係る端子固定構造が適用される画像形成装置の斜視図である。この画像形成装置１００は、本体１０に操作部２０が取り付けられて成る。操作部２０（第１のユニット）は、本体１０（第２のユニット）に対してユーザが各種の操作を指示するために用いられる操作部ユニットであり、複数の操作子や表示部を有する。
【００１２】
図２は、画像形成装置１００の概略構成を示す縦断面図である。画像形成装置１００による画像形成動作を説明する。給紙ローラ１０１は、給紙カセット１０２内に収納されている記録紙Ｓを１枚ずつ用紙搬送方向に送り出す。送り出された記録紙Ｓは、レジストレーションコロ１０４に対向して設けられたレジストレーションローラ１０３に到達する。レジストレーションローラ１０３はレジストレーションシャッタを同軸上に回転可能に有し、搬送されてきた記録紙Ｓの斜行を補正する。その後、レジストレーションローラ１０３は記録紙Ｓを転写ローラ１０５へ搬送する。画像形成装置１００は、４色の画像を形成するための４つのステーションを有する。各ステーションの構成要素は共通であるので、代表して１つを説明する。
【００１３】
プロセスカートリッジは、感光ドラム１０６及び現像装置（図示せず）を保持する。スキャナユニット１０７から照射されるレーザ光により感光ドラム１０６上に潜像が形成される。感光ドラム１０６上の潜像が現像装置によって可視画像とされ、可視画像はＩＴＢユニット１０８のベルト１０９上に転写される。可視画像はベルト１０９が回転することによって転写ローラ１０５まで運ばれ、転写ローラ１０５によって記録紙Ｓ上に未定着状態で転写される。可視画像を転写された記録紙Ｓは、定着ユニット１１０に搬送され、加熱ユニット１１１と加圧ローラ１１２との圧接によって、定着ニップ部にて熱及び圧力を付与される。これにより、上記可視画像が記録紙Ｓ上に定着される。印刷済みの記録紙Ｓは排紙口１１３から排紙トレイ１１４へ排紙される。
【００１４】
図３は、本体１０に操作部２０を組み付ける途中の状態の斜視図である。本体１０には、操作部２０が収まる凹部５が形成される。凹部５には、接地用の電気導通部４０が設けられている。操作部２０からはアース束線３０が導出され、アース束線３０の先端に端子部３１が設けられる。操作部２０を本体１０に組み付ける前段階で、作業者は、本体１０の電気導通部４０に端子部３１を電気的に接続する作業を実施する。図３〜図９で、本実施の形態におけるアース束線３０の固定手法、端子固定構造を説明する。それの比較例として、図１０に、従来の画像形成装置における端子固定構造を示す。
【００１５】
従来の構成では、作業者は、図１０に示すように、本体１０の電気導通部１４０へ端子部３１をビスによって固定する。ビスによる安定した固定作業では、作業者は通常、両手を使わざる得ないため、操作部２０を本体１０の外装上等の近傍に載置する。操作部２０を載置する位置の自由度を確保するためには、アース束線３０の長さをあまり短く設計できない。一方、アース束線３０は長過ぎると噛み込み等を生じさせる恐れがあるので極力短い方が理想的である。これに対し、以下に説明するように、本実施の形態では、作業者は、端子部３１を電気導通部４０に片手で仮固定し、その後ビスを用いずに本固定する。作業者は、端子部３１を電気導通部４０に片手で仮固定した状態で、操作部２０を凹部５に嵌めるように配置する。操作部２０は、本体１０に形成された係止用の凸形状や引掛け爪（図示省略）によって固定される。
【００１６】
図４は、電気導通部４０の斜視図である。まず、端子部３１は、金属等の導電性を有する材料で構成され、首部３２及び首部３２に連接する板状部３３から成る。板状部３３は穴３３ａを有した略環状である。穴３３ａはビス止めに用いる貫通穴であるが、本実施の形態では用いないので必要でない。首部３２はアース束線３０の先端に取り付けられる。略円筒形の首部３２にアース束線３０が挿入された状態で円筒部が押し潰されることで、アース束線３０が首部３２に導通可能に固定されている。アース束線３０は、操作部２０側においては、操作部２０に搭載される基板などの電気導通部に半田やビスによって固定される（図示は省略する）。
【００１７】
フレーム８は、アースをとるための主な電気導通部となる。凹部５には略円柱形の中空部１２が突設される。以降、中空部１２の突設方向を便宜上、上方と呼称することもある。中空部１２の内側には、圧縮バネである導電性のコイルバネ１９が内装（中空部内に配設）される。コイルバネ１９は、板状部３３と電気的に導通するための部材である。コイルバネ１９は中空部１２に収まり、自由状態で中空部１２の上端よりも突出する。コイルバネ１９の下部は、凹部５の下方にあるフレーム８上で側方に延設され、その一端部１９ａが、ビス１１によりフレーム８に固定されている。これにより、本体１０とコイルバネ１９との電気的接触が得られている。
【００１８】
中空部１２には、中空部１２の外側から内側まで貫通する溝部として、第１の溝部１６と第２の溝部１３とが形成されている。コイルバネ１９に端子部３１を接触させるように仮固定するための概略工程として、作業者は、板状部３３を、第２の溝部１３を通してコイルバネ１９の線間（隣接する素線の間）に挿入し、その後、首部３２を第１の溝部１６に位置させる。板状部３３は中空部１２の内側に収まる。溝部１３、１６の構成、コイルバネ１９や首部３２及び板状部３３との関係等を図５で説明する。
【００１９】
図５（ａ）は、電気導通部４０の上面図である。図５（ｂ）は、中空部１２を第１の溝部１６が形成されている側から見た側面図である。図５（ｃ）は、図５（ａ）のＡ−Ａ線に沿う中空部１２の断面図である。
【００２０】
まず、図５（ａ）に示すように、中空部１２の内径はＤ１である。首部３２を除く板状部３３の外形形状は略円形であり、板状部３３の外径はＤ４である。コイルバネ１９の内径はＤ３である。操作部２０の組み付け完了後に板状部３３が安定してコイルバネ１９との接触状態を維持するためには、板状部３３がコイルバネ１９の線間に挟まれた状態で中空部１２内に収まればよい。従って、板状部３３の外径（Ｄ４）は、コイルバネ１９の内径（Ｄ３）よりも大きく、中空部１２の内径（Ｄ１）より小さいのがよい。板状部３３の外径（Ｄ４）とコイルバネ１９の外径（Ｄ２）との大小関係は問わない。
【００２１】
図５（ｂ）に示すように、第１の溝部１６は、中空部１２の軸心Ｃ方向に略平行に形成される。第２の溝部１３は、第１の溝部１６の上端に連接し、第１の溝部１６と交差する方向、特に軸心Ｃを中心とする略周方向に斜めに形成される。第１の溝部１６は、第２の溝部１３との連接部から下方へ真っ直ぐ延設される。コイルバネの線は、軸心Ｃに垂直な仮想面１８に対して勾配を有しているが、側面視で、第２の溝部１３はコイルバネの線と平行でない。具体的には、軸心Ｃを中心とする周方向に関して、仮想面１８に対する第２の溝部１３の傾斜角度θ１の最大値は、自由状態におけるコイルバネ１９の螺旋角度であるピッチ角θ２よりも大きい。なお、本実施の形態では、第２の溝部１３の傾斜角度θ１は全領域でピッチ角θ２よりも大きい。
【００２２】
また、図５（ｃ）に示すように、軸心Ｃに直交する方向（中空部１２の半径方向）における第２の溝部１３の傾斜について考察する。第２の溝部１３の上面と下面１３ａは平行であるので、下面１３ａで考える。軸心Ｃに直交する方向における、第２の溝部１３の下面１３ａの中空部１２の外側位置Ｐ１よりも内側位置Ｐ２の方が、上方に位置する。すなわち、外側位置Ｐ１よりも内側位置Ｐ２の方が、軸心方向においてコイルバネ１９の一端部１９ａから遠い。平易に表現すると、第２の溝部１３は概ね、中空部１２の内側ほど上方に位置するよう傾斜している。
【００２３】
なお、第２の溝部１３の幅は、板状部３３が貫通できるよう、板状部３３の厚みより大きい。第１の溝部１６の幅は、首部３２が挿通可能なよう首部３２の最大外径よりも大きく、また、板状部３３の外径（Ｄ４）よりも小さい。また、自由状態におけるコイルバネ１９の線間の間隔に比し、板状部３３の厚みはほぼ同等であるが、コイルバネ１９の線間の間隔と板状部３３の厚みとの大小関係は問わない。
【００２４】
次に、図６〜図９で、電気導通部４０に対して端子部３１が仮固定され、さらには操作部２０が本体１０に取り付けられることで電気導通部４０に端子部３１が本固定される工程を説明する。図６、図７は、電気導通部４０に端子部３１を仮固定する様子を示す斜視図である。図８、図９はそれぞれ、仮固定状態、本固定状態の電気導通部４０の縦断面図である。
【００２５】
まず、作業者は、アース束線３０に取り付けられた端子部３１の板状部３３を、中空部１２の第２の溝部１３に、図６に矢印で示すＦ１方向から挿入する。Ｆ１方向は、第１の溝部１６を正面としたとき、第２の溝部１３の長手方向に沿う後方である。その後、作業者は、板状部３３を、第２の溝部１３から中空部１２の内部に向かって、図６に矢印で示すＦ２方向に移動させる。Ｆ２方向は、第２の溝部１３を正面としたとき、斜め上方後方である。なお、Ｆ１方向またはＦ２方向への移動の際に、作業者は板状部３３をコイルバネ１９の線間にこじ入れるように挿入する。上述のように第２の溝部１３の外側位置Ｐ１よりも内側位置Ｐ２の方が高いため（図５（ｃ））、Ｆ２方向への移動の際には、板状部３３がコイルバネ１９を伸長させるように作用する。
【００２６】
そして作業者は、板状部３３を、第２の溝部１３を通過させて中空部１２の内側に収めると共に、端子部３１を回転させて首部３２を第１の溝部１６の位置（第２の溝部１３と第１の溝部１６との連接部の位置）まで移動させ、端子部３１から指を放す。すると、図７、図８に示すように、伸長していたコイルバネ１９が元に戻るため、首部３２が第１の溝部１６を下方に変位すると同時に、コイルバネ１９の線間に挿入された板状部３３が下方に変位する。これにより、板状部３３が中空部１２内でコイルバネ１９の線間に介在し且つ首部３２が第１の溝部１６に位置する仮固定状態となる。
【００２７】
ここで、板状部３３が第２の溝部１３を通過する途中には、板状部３３はコイルバネ１９のピッチ角θ２に近い傾斜角度となる。側面視で、第２の溝部１３はコイルバネ１９の線と平行でないので、板状部３３は、コイルバネ１９の弾性によってコイルバネ１９の線及び第２の溝部１３の双方に接触する状態となる。そのため、板状部３３が不用意に第２の溝部１３から脱落しにくく、片手での第２の溝部１３への板状部３３の挿入操作を行いやすい。
【００２８】
また、仮固定状態においては通常、板状部３３は第２の溝部１３よりも下方に位置し、第２の溝部１３とは位置がずれるので、第２の溝部１３から抜けにくい。しかも、仮固定状態においては、コイルバネ１９の線間に介在する板状部３３は、第２の溝部１３を正面から見たときコイルバネ１９の線の角度（ピッチ角θ２）にほぼ沿った姿勢となるかまたは、それよりも水平に近い姿勢となる。そのため、板状部３３は、傾斜角度θ１を有する第２の溝部１３とは平行にならない。従って、板状部３３は第２の溝部１３から抜けにくい。さらには、首部３２は第１の溝部１６に収まっているため、端子部３１は回転を規制されている。これらのことから、仮固定状態が安定し、板状部３３が中空部１２内から抜けにくい。すなわち、本体１０に操作部２０を組み込む際には、アース束線３０が不用意に引っ張られることがあるが、仮固定状態が安定していることで、端子部３１と電気導通部４０との係合が簡単に解除されることがない。
【００２９】
仮固定までは片手での作業が可能である。従って、作業者は操作部２０をどこかに載置する必要はなく、もう一方の手で操作部２０を把持した状態で仮固定の作業を行える。従って、アース束線３０の長さを短く設計しても作業に支障がなく、アース束線３０が長すぎることによる噛み込み等の弊害を誘発しないで済む。
【００３０】
端子部３１の仮固定状態においては、コイルバネ１９の上端部である他端部１９ｂが中空部１２から突出している（図８）。作業者は、操作部２０を凹部５へ嵌める。その際、操作部２０の裏面２０ａによりコイルバネ１９の他端部１９ｂが押圧されることでコイルバネ１９が圧縮される（図９）。これにより端子部３１は本固定状態となり、板状部３３がコイルバネ１９の線間に挟まれて両線に強く接触するので、板状部３３とコイルバネ１９との電気的導通が確実に得られる。このようにして、ビスを用いることなく、アース束線３０の端子部３１を電気導通部４０に電気的に接続することができる。作業途中で操作部２０を載置する必要もない。
【００３１】
本実施の形態によれば、端子部３１の板状部３３を、第２の溝部１３を通して中空部１２内に収めると共に、首部３２を第１の溝部１６に位置させることで、板状部３３が中空部１２内でコイルバネ１９の線間に介在する仮固定状態となる。側面視で、中空部１２の第２の溝部１３はコイルバネ１９の線と平行でない。これにより、仮固定する際に板状部３３が第２の溝部１３から抜けにくい。また、第２の溝部１３の外側位置Ｐ１よりも内側位置Ｐ２の方が高いため（図５（ｃ））、板状部３３をＦ２方向へ移動させる過程でコイルバネ１９は一時的に伸長し、板状部３３が中空部１２内に収まると自由状態に戻るので、仮固定状態が安定する。また、軸心Ｃを中心とする周方向に関して、仮想面１８に対する第２の溝部１３の傾斜角度θ１の最大値は、自由状態におけるコイルバネ１９のピッチ角θ２よりも大きい。これによっても、仮固定状態で板状部３３が第２の溝部１３から抜けにくい。さらに、コイルバネ１９が自由状態から圧縮状態へ移行する過程でも、仮固定状態と比べて板状部３３が第２の溝部１３から抜けやすくなることがないので、本固定までの板状部３３の抜けを効果的に抑制できる。よって、本実施の形態によれば、端子部３１の導通接続の作業を容易にすることができる。
【００３２】
また、仮固定状態において、操作部２０を凹部５へ嵌めることで、操作部２０の裏面２０ａによりコイルバネ１９が圧縮され、板状部３３は軸心Ｃ方向において一端部１９ａに近づく方向（下方）へ変位する。これにより、板状部３３の位置が第２の溝部１３からずれて、強固な抜け止め機能が果たされる。また、板状部３３とコイルバネ１９とが密着し、導通機能が確実に果たされる。
【００３３】
また、板状部３３の外径（Ｄ４）は、コイルバネ１９の内径（Ｄ３）よりも大きく、中空部１２の内径（Ｄ１）より小さい。これにより、仮固定状態、本固定状態のいずれにおいても、板状部３３がコイルバネ１９の線間に挟まって且つ中空部１２内に収まった姿勢が安定する。
【００３４】
なお、自由状態におけるコイルバネ１９の線間の間隔と板状部３３の厚みはほぼ同等とした。しかし、仮に線間の間隔より板状部３３の厚みが薄くても、操作部２０によりコイルバネ１９が圧縮されることで、板状部３３とコイルバネ１９とは確実に密着する。なお、線間の間隔より板状部３３の厚みを厚くすれば、仮固定状態となるまでの工程においてコイルバネ１９の線間からの板状部３３の抜けにくさを増すことができる。
【００３５】
なお、板状部３３の穴３３ａは用いないので必要でない。しかし、端子部３１にビス止め用の穴を有するものが一般的である。本発明は、穴３３ａがあっても問題なく電気的導通可能に固定できることから、端子部３１の汎用性が高いという利点を有する。
【００３６】
なお、仮固定までの過程で板状部３３を第２の溝部１３から外れにくくする観点からは、最低限、側面視で、第２の溝部１３がコイルバネ１９の線と平行でない領域を有すればよく、傾斜角度θ１の最大値とピッチ角θ２との大小関係は例示に限定されない。また、第２の溝部１３の傾斜角度θ１は一様でなくてもよく、湾曲していてもよい。
【００３７】
なお、仮固定状態となったときに軸心Ｃ方向において板状部３３の位置が第２の溝部１３からずれるようにする効果を求めない場合は、軸心Ｃ方向における第２の溝部１３の外側位置Ｐ１と内側位置Ｐ２との関係は例示に限定されない。
【００３８】
なお、本発明の端子固定構造が適用される装置は、画像形成装置に限定されず、２つのユニットを組み付ける際に端子部を導通させる電子機器であればよい。また、端子部はアース用に限定されず、電気的な接続をするため端子であってもよい。なお、中空部１２及びコイルバネ１９を含む電気導通部４０と、アース束線３０及び端子部３１との関係を逆にしてもよい。例えば、一方のユニット（本体１０等）からアース束線３０が導出され、他方のユニット（操作部２０等）に電気導通部４０が設けられる構成であってもよい。
【００３９】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００４０】
１２  中空部
１３  第２の溝部
１６  第１の溝部
１９  コイルバネ
３０  アース束線
３１  端子部
３２  首部
３３  板状部
【図１】
2018170209.tif 000003
【図２】
2018170209.tif 000004
【図３】
2018170209.tif 000005
【図４】
2018170209.tif 000006
【図５】
2018170209.tif 000007
【図６】
2018170209.tif 000008
【図７】
2018170209.tif 000009
【図８】
2018170209.tif 000010
【図９】
2018170209.tif 000011
【図１０】
2018170209.tif 000012